(57)【要約】      （修正有）【課題】入力電力から出力電力への変換効率を高めた電磁デバイスを提供する。【解決手段】電磁デバイス１０２は、磁束１２４の発生が可能な長状コア１０４を含む。電磁デバイスは、さらに、長状コアを通る第１チャネル１０６と、長状コアを通る第２チャネル１０８と、を含む。第１チャネルと第２チャネルとの間には、内側コア部材１１０が設けられている。電磁デバイスは、さらに、内側コア部材に巻回された一次巻線１１６と、内側コア部材に巻回された複数の二次巻線１２０ａ〜１２０ｎと、を含む。一次巻線に電流が流れると、一次巻線の周りに磁界が発生し、その磁界が長状コアに吸収されると、長状コアに磁束が発生する。長状コアを流れる磁束により、複数の二次巻線の各々を流れる電流が誘起される。【選択図】図１Ｂ
2017143250.tif 000002
【特許請求の範囲】
【請求項１】
磁束の発生が可能な長状コアと、
前記長状コアを通る第１チャネルと、
前記長状コアを通る第２チャネルと、
前記第１チャネルと前記第２チャネルとの間に設けられた内側コア部材と、
前記内側コア部材に巻回された一次巻線と、
前記内側コア部材に巻回された複数の二次巻線と、を含み、前記一次巻線に電流が流れると、前記一次巻線の周りに磁界が発生し、当該磁界が前記長状コアに吸収されると、前記長状コアに磁束が発生し、前記長状コアを流れる当該磁束により、前記複数の二次巻線の各々を流れる電流が誘起される、電磁デバイス。
【請求項２】
前記長状コアは、さらに、
前記内側コア部材の一方側に対向する第１外側コア部材と、
前記内側コア部材の他方側に対向する第２外側コア部材と、
前記第１外側コア部材の第１端部を前記内側コア部材の第１端部に繋ぐと共に、前記内側コア部材の前記第１端部を前記第２外側コア部材の第１端部に繋ぐ第１側方コア部材と、
前記第１外側コア部材の第２端部を前記内側コア部材第２端部に繋ぐと共に、前記内側コア部材の前記第２端部を前記第２外側コア部材の第２端部に繋ぐ第２側方コア部材と、を含み、前記第１外側コア部材と、前記第１側方コア部材の第１部分と、前記内側コア部材と、前記第２側方コア部材の第１部分と、により前記第１チャネルの周りに第１磁気回路が構成され、前記内側コア部材と、前記第１側方コア部材の第２部分と、前記第２外側コア部材と、前記第２側方コア部材の第２部分と、により、前記第２チャネルの周りに第２磁気回路が構成され、前記磁束は、前記一次巻線を流れる前記電流に対応して、前記第１磁気回路及び前記第２磁気回路に流れる、請求項１に記載の電磁デバイス。
【請求項３】
前記第１チャネル及び前記第２チャネルの各々は、前記長状コアの最大長さに相当する深さを有する、請求項１に記載の電磁デバイス。
【請求項４】
前記第１チャネル及び前記第２チャネルの各々は、前記長状コアの前記最大長さ方向に交差する長状開口を形成する高さ及び幅を有する、請求項３に記載の電磁デバイス。
【請求項５】
前記一次巻線及び前記複数の二次巻線は、一巻ごとに、前記内側コア部材の周りで互いに隣接している、請求項１に記載の電磁デバイス。
【請求項６】
前記一次巻線及び前記複数の二次巻線の各々は、前記内側コア部材に別個に巻回されている、請求項１に記載の電磁デバイス。
【請求項７】
前記一次巻線及び前記複数の二次巻線の各々は、前記長状コア内に位置する部分の線長が最大になるように前記内側コア部材に巻回されている、請求項１に記載の電磁デバイス。
【請求項８】
前記一次巻線と前記複数の二次巻線の各々との間、及び、前記複数の二次巻線の各間に、電気的絶縁材の層をさらに含む、請求項１に記載の電磁デバイス。
【請求項９】
前記長状コアは、単片構造体、及び、互いに積み重ねられた複数のプレートからなる積層構造体、のうちのいずれかを含む、請求項１に記載の電磁デバイス。
【請求項１０】
前記磁束は、前記一次巻線を流れる交流により誘起され、当該磁束は、前記交流の正の半サイクルの間は、前記一次巻線及び複数の二次巻線の向きを横切る第１方向に流れ、前記交流の負の半サイクルの間は、前記第１方向とは逆の第２方向に流れる、請求項１に記載の電磁デバイス。
【請求項１１】
前記複数の二次巻線は、２つから５つの間の二次巻線から成る、請求項１に記載の電磁デバイス。
【請求項１２】
電力を変換する方法であって、
磁束の発生が可能な長状コアを用意し、この際に、前記長状コアを、前記長状コアを通る第１チャネル、前記長状コアを通る第２チャネル、及び、前記第１チャネルと前記第２チャネルとの間に設けられた内側コア部材を含むものとし、
前記内側コア部材に一次巻線を巻回し、
前記内側コア部材に複数の二次巻線を巻回し、前記一次巻線に電流を流して、前記一次巻線の周りに磁界を発生させ、当該磁界を前記長状コアに吸収させて、前記長状コアに磁束を発生させ、前記長状コアを流れる当該磁束により、前記複数の二次巻線の各々を流れる電流を誘起する、方法。
【請求項１３】
前記第１チャネル及び前記２チャネルの各々は、前記長状コアの最大長さに相当する深さを有する、請求項１２に記載の方法。
【請求項１４】
前記長状コアを用意するに際し、
前記内側コア部材の一方側に対向する第１外側コア部材を用意し、
前記内側コア部材の他方側に対向する第２外側コア部材を用意し、
前記第１外側コア部材の第１端部を前記内側コア部材の第１端部に繋ぐと共に、前記内側コア部材の前記第１端部を、前記第２外側コア部材の第１端部に繋ぐ第１側方コア部材を用意し、前記第１外側コア部材の第２端部を前記内側コア部材の第２端部に繋ぐと共に、前記内側コア部材の前記第２端部を前記第２外側コア部材の第２端部に繋ぐ第２側方コア部材を用意するようにし、前記第１外側コア部材と、前記第１側方コア部材の第１部分と、前記内側コア部材と、前記第２側方コア部材の第１部分と、により前記第１チャネルの周りに第１磁気回路が構成され、前記内側コア部材と、前記第１側方コア部材の第２部分と、前記第２外側コア部材と、前記第２側方コア部材の第２部分と、により、前記第２チャネルの周りに第２磁気回路が構成され、前記磁束は、前記一次巻線を流れる電流に対応して、前記第１磁気回路及び前記第２磁気回路に流れる、請求項１２に記載の方法。
【請求項１５】
前記一次巻線を電源に接続し、前記二次巻線の各々を負荷に接続し、
前記一次巻線に電流信号を供給し、これにより前記一次巻線の周りに磁界を発生させ、当該磁界を前記長状コアに吸収させて、前記長状コアに電磁束を発生させ、前記長状コアを流れる当該磁束により、前記二次巻線の各々を流れる二次電流信号を誘起し、
前記二次電流信号を、各二次巻線に関連づけられた負荷にそれぞれ供給する、請求項１２に記載の方法。
【発明の詳細な説明】
【技術分野】
【０００１】
本開示は、電源変圧器などの電磁デバイスに関し、より具体的には、リニア磁気コア体（linear magnetic core configuration）を有するマルチパルス電磁デバイスに関する。
【背景技術】
【０００２】
変圧整流器（ＴＲＵ）及び自動変圧整流器（ＡＴＲＵ）は、航空機に利用可能な電源変圧器あり、４００ヘルツで１１５ボルトの交流電圧（ＶＡＣ）を、２８ボルトの直流電圧（ＶＤＣ）に変換し、航空機の電気系統やコンポーネントの給電に用いられる航空機電力とする。この１１５ボルトの交流電圧を生成する１つ又は複数の発電装置は、航空機のエンジンに駆動軸及びギア装置を介して機械的かつ機能的に連結されているので、機械的エネルギーが電気的エネルギーに変換される。変圧器のコアは、各ＴＲＵ／ＡＴＲＵにおいて、最も重く、また最も高い熱を発するコンポーネントである。ＴＲＵ／ＡＴＲＵの重量と発熱は、航空機の性能に影響する要因となりうる。ＴＲＵ／ＡＴＲＵの重量は、航空機の有料荷重から差し引かれるため、航空機が搬送できる設計上の重量が縮小される。加えて、冷却が必要であるので、エンジン収納部の設計や熱管理にも影響する。
【発明の概要】
【０００３】
一実施例によれば、電磁デバイスは、磁束の発生が可能な長状コアを含む。前記電磁デバイスは、さらに、前記長状コアを通る第１チャネルと、前記長状コアを通る第２チャネルと、を含む。前記第１チャネルと前記第２チャネルとの間には、内側コア部材が設けられている。前記電磁デバイスは、さらに、前記内側コア部材に巻回された一次巻線と、前記内側コア部材に巻回された複数の二次巻線と、を含む。前記一次巻線に電流が流れると、前記一次巻線の周りに磁界が発生し、当該磁界が前記長状コアに吸収されると、前記長状コアに磁束が発生し、前記長状コアを流れる当該磁束により、前記複数の二次巻線の各々を流れる電流が誘起される。
【０００４】
他の実施例によれば、電磁デバイスは、第１チャネル、第２チャネル、及び、前記第１チャネルと前記第２チャネルとの間に設けられた第１位相内側コア部材を含む第１位相長状コアを含む。前記電磁デバイスは、さらに、前記第１位相内側コア部材に巻回された第１位相一次巻線と、前記第１位相内側コア部材に巻回された複数の第１位相二次巻線と、を含む。前記電磁デバイスは、さらに、第１チャネル、第２チャネル、及び、前記第１チャネルと前記第２チャネルとの間に設けられた第２位相内側コア部材を含む第２位相長状コアを含む。第２位相一次巻線が前記第２位相内側コア部材に巻回されており、また、複数の第２位相二次巻線が前記第２位相内側コア部材に巻回されている。前記電磁デバイスは、さらに、第１チャネル、第２チャネル、及び、前記第１チャネルと前記第２チャネルとの間に設けられた第３位相内側コア部材を含む第３位相長状コアを含む。第３位相一次巻線が前記第３位相内側コア部材に巻回されており、複数の第３位相二次巻線が前記第３位相内側コア部材に巻回されている。
【０００５】
さらに他の実施例によれば、電力を変換する方法は、磁束の発生が可能な長状コアを用意することを含む。前記長状コアは、前記長状コアを通る第１チャネル、前記長状コアを通る第２チャネル、及び、前記第１チャネルと前記第２チャネルとの間に設けられた内側コア部材を含むものとする。前記方法は、さらに、前記内側コア部材に一次巻線を巻回することと、前記内側コア部材に複数の二次巻線を巻回することと、を含む。前記一次巻線に電流を流して、前記一次巻線の周りに磁界を発生させる。当該磁界を前記長状コアに吸収させて、前記長状コアに磁束を発生させる。前記長状コアを流れる当該磁束により、前記複数の二次巻線の各々を流れる電流を誘起させる。
【０００６】
他の実施例、又は、上述した実施例のうちの任意の実施例によれば、前記長状コアは、さらに、前記内側コア部材の一方側に対向する第１外側コア部材と、前記内側コア部材の他方側に対向する第２外側コア部材と、を含む。前記長状コアは、また、前記第１外側コア部材の第１端部を前記内側コア部材の第１端部に繋ぐと共に、前記内側コア部材の前記第１端部を前記第２外側コア部材の第１端部に繋ぐ第１側方コア部材を含む。前記長状コアは、さらに、前記第１外側コア部材の第２端部を前記内側コア部材第２端部に繋ぐと共に、前記内側コア部材の前記第２端部を前記第２外側コア部材の第２端部に繋ぐ第２側方コア部材と、を含む。前記第１外側コア部材と、前記第１側方コア部材の第１部分と、前記内側コア部材と、前記第２側方コア部材の第１部分と、により前記第１チャネルの周りに第１磁気回路が構成される。前記内側コア部材と、前記第１側方コア部材の第２部分と、前記第２外側コア部材と、前記第２側方コア部材の第２部分と、により、前記第２チャネルの周りに第２磁気回路が構成される。前記磁束は、前記一次巻線を流れる前記電流に対応して、前記第１磁気回路及び前記第２磁気回路に流れる。
【０００７】
他の実施例、又は、上述した実施例のうちの任意の実施例によれば、前記第１チャネル及び前記第２チャネルの各々は、前記長状コアの最大長さに相当する深さを有する。
【０００８】
他の実施例、又は、上述した実施例のうちの任意の実施例によれば、前記第１チャネル及び前記第２チャネルの各々は、前記長状コアの前記最大長さ方向に交差する長状開口を形成する高さ及び幅を有する。
【０００９】
他の実施例、又は、上述した実施例のうちの任意の実施例によれば、前記一次巻線及び前記複数の二次巻線は、一巻ごとに、前記内側コア部材の周りで互いに隣接している。
【００１０】
他の実施例、又は、上述した実施例のうちの任意の実施例によれば、前記一次巻線及び前記複数の二次巻線の各々は、前記内側コア部材に別個に巻回されている。
【００１１】
他の実施例、又は、上述した実施例のうちの任意の実施例によれば、前記一次巻線と前記複数の二次巻線の各々との間、及び、前記複数の二次巻線の各間に、電気的絶縁材の層をさらに含む。
【００１２】
他の実施例、又は、上述した実施例のうちの任意の実施例によれば、前記長状コアは、単片構造体と、互いに積み重ねられた複数のプレートからなる積層構造体と、のうちのいずれかを含む。
【図面の簡単な説明】
【００１３】
本開示の特定の実施例を示す添付図面を参照して、いくつかの例を以下に詳細に説明する。異なる構造及び動作を有する他の実施例も、本開示の範囲から逸脱するものではない。
【００１４】
【図１Ａ】本開示の実施例による例示的な電磁デバイスを含む配電システムを示す図である。
【図１Ｂ】図１Ａの電磁デバイスを示す、図１Ａの線１Ｂ−１Ｂに沿う斜視図である。
【図１Ｃ】図１Ａ及び図１Ｂの電磁デバイスを示す、図１Ｂの線１Ｃ−１Ｃに沿う断面図である。
【図２】図１Ａ〜図１Ｃの例示的な電磁デバイスを示す概略図である。
【図３Ａ】本開示の実施例による例示的な電磁デバイスを示す端面図であり、電気絶縁材料の層が一次巻線と各二次巻線との間、及び、二次巻線の各間に配されている。
【図３Ｂ】図３Ａの例示的な電磁デバイスを示す、線３Ｂ−３Ｂに沿う断面図である。
【図４】本開示の実施例による三相電磁装置又はデバイスを含む三相配電システムの例である。
【図５】本開示の他の実施例による例示的な三相電磁デバイスを示す端面図である。
【図６】本開示の実施例による、電気信号を多重出力パルスに変換する方法の例を示すフロー図である。
【発明を実施するための形態】
【００１５】
以下に、本開示の特定の実施例を示す添付図面を参照して、いくつかの例を詳細に説明する。異なる構造及び動作を有する他の実施例も、本開示の範囲から逸脱するものではない。異なる図面においても、同じ要素又は部材は同じ参照符号で示している。
【００１６】
本明細書では、あくまでも便宜的に特定の文言を用いているが、これらの文言が、説明した実施例を限定すると解釈されるべきではない。例えば、「近位」、「遠位」、「上部」、「下部」、「上側」、「下側」、「左」、「右」、「水平」、「垂直」、「上方」、「下方」などの用語は、図示した構成や相対的な位置を、図示の方向を基準にして説明しているに過ぎない。実施例に示す部材は、多くの異なる向きで配置可能であり、方向を表す文言は、あくまでも説明を目的としており、何ら限定を課すものではない。適用可能な実施例は他にもあり、本発明の範囲から逸脱することなく、構造的あるいは論理的な変更が可能であることは理解されよう。したがって、以下の説明は限定的に解釈されるべきではなく、本発明の範囲は添付の請求の範囲によって定義されるものである。
【００１７】
図１Ａは、本開示の実施例による例示的な電磁デバイス１０２を含む配電システム１００の例を示す。例示的な電磁デバイス１０２は、下記に説明するように、磁束の発生が可能な長状コア１０４を含むマルチパルス電源変圧器として構成されている。長状コア１０４は、リニア磁気コア体を有する。図１Ｂ及び図１Ｃも併せて参照すると、図１Ｂは、図１Ａの例示的な電磁デバイス１０２を示す、図１Ａの線１Ｂ−１Ｂに沿う斜視図である。図１Ｃは、図１Ａ及び図１Ｂの例示的な電磁デバイス１０２を示す、図１Ｂの線１Ｃ−１Ｃに沿う断面図である。電磁デバイス１０２は、長状コア１０４を通る第１チャネル１０６と、長状コア１０４を通る第２チャネル１０８とを有する。いずれのチャネルも、図１Ａでは、点線で示されている。第１チャネル１０６と第２チャネル１０８との間には、内側コア部材１１０が設けられ、あるいは、規定されている。図１Ａに示すように、第１チャネル１０６及び第２チャネル１０８のそれぞれは、長状コア１０４の最大長さ「Ｌ」に相当する深さ「Ｄ」を有する。つまり、第１チャネル１０６及び第２チャネル１０８はいずれも、長状コア１０４を長手方向に貫通する。図１Ｂに最もよく表れているように、第１チャネル１０６及び第２チャネル１０８のそれぞれは、長状コア１０４の両端で開口する長穴である第１長状開口１１２及び第２長状開口１１４を形成あるいは規定する高さ「Ｈ」及び幅「Ｗ」を有する。第１長状開口１１２及び第２長状開口１１４は、長状コア１０４の最大長さ「Ｌ」を横切る。他の実施例では、第１チャネル１０６と第２チャネル１０８とは、互いに異なる高さ及び幅を有していてもよい。
【００１８】
また、電磁デバイス１０２は、内側コア部材１１０に巻回された一次巻線１１６を含む。一次導電巻線は、内側コア部材１１０に所定の巻き数で巻回された導電線により構成することができる。導電線は、絶縁材料の層で被覆されていてもよい。一次巻線１１６は、電源１１８に接続される。電源１１８は、例えば、航空機やその他の輸送体のエンジンに、あるいは、その他の発電システムに、機械的かつ機能的に結合された発電装置である。
【００１９】
また、電磁デバイス１０２は、内側コア部材１１０に巻回された複数の二次巻線１２０ａ〜１２０ｎを含む。一次巻線１１６及び各二次巻線１２０ａ〜１２０ｎが内側コア部材１１０に巻回されていることから、電磁デバイス１０２は、リニア磁気コア体１２１を有するといえる。各二次巻線１２０ａ〜１２０ｎは、内側コア部材１１０に所定の巻き数で巻回された導電線により構成することができる。各二次巻線１２０ａ〜１２０ｎの導電線は、電気的絶縁材で被覆したものでもよい。一次巻線１１６及び各二次巻線１２０ａ〜１２０ｎの導電線が電気絶縁材料で被覆されていない場合には、図３Ａ及び図３Ｂを参照して説明するように、各巻線を電気絶縁層で隔てなければならない。
【００２０】
二次巻線１２０ａ〜１２０ｎは、それぞれ負荷１２２ａ〜１２２ｎに電気的に接続される。各負荷１２２ａ〜１２２ｎとしては、配電システム１００を搭載する航空機やその他の輸送体に含まれる電気部品やシステムがある。各二次巻線１２０ａ〜１２０ｎは、それに接続された負荷１２２ａ〜１２２ｎと共に、独立した電気回路を構成する。関連する技術分野で知られているように、二次巻線１２０ａ〜１２０ｎの出力電圧は、各二次巻線１２０ａ〜１２０ｎの一次巻線１１６に対する巻数比に、一次巻線１１６への入力電圧又は電源１１８からの供給電圧を乗じた値に比例する。
【００２１】
一次巻線１１６に電流（例えば、電流信号）が流れると、一次巻線１１６の周りに磁界が発生する。この磁界が長状コア１０４に吸収されると、長状コア１０４内に図１Ｂの矢印１２４が表すような磁束が発生する。長状コア１０４に磁束１２４が流れると、複数の二次巻線１２０ａ〜１２０ｎのそれぞれを流れる電流が誘起される。長状コア１０４において磁束１２４が流れる方向は、一次巻線１１６を流れる電流の方向に基づいており、周知の右手の法則を用いて特定できる。例えば、図１Ｂにおいて、第１チャネル１０６内の一次巻線１１６を流れる電流（図１Ｂの一次導体に「＋」の符号で示す）は紙面から流れ、第２チャネル１０８内の一次巻線１１６を流れる電流（「−」符号で表す）は紙面に向かって流れると想定すると、右手の法則により、磁束１２４は、一次巻線１１６及び各二次巻線１２０ａ〜１２０ｎを横断する方向の矢印で示す第１の方向に流れると特定される。交流の場合、磁束１２４は、交流サイクルの半分、例えば、正の半サイクルの間は、図１Ｂの矢印で示す第１方向に流れ、交流サイクル残りの半分、例えば、負の半サイクルの間は、第１方向とは逆の第２方向に流れる。一次巻線１１６を流れる交流に対応して、磁束１２４の振幅が各半サイクルにおいて最大に達し、また減少するに合わせて、二次巻線１２０ａ〜１２０ｎに電流が誘起される。
【００２２】
電磁デバイス１０２の効率は、長状コア１０４内に位置する一次巻線１１６及び二次巻線１２０ａ〜１２０ｎの導電線の線長（linear length）に依存する。長状コア１０４内に位置する一次巻線１１６の導電線の線長が長いほど、長状コア１０４に結合あるいは吸収される導電線の周りの磁界が大きくなり、導電線を流れる電流に対応して磁束１２４が誘起される。同様に、長状コア１０４内に位置する各二次巻線１２０ａ〜１２０ｎの導電線の線長が長いほど、二次巻線１２０ａ〜１２０ｎに電流を誘起する磁束１２４との結合が大きくなる。したがって、一次巻線１１６及び各二次巻線１２０ａ〜１２０ｂを内側コア部材１１０に巻回する際には、長状コア１０４内に位置する各巻線の導電線の線長が最大になるようにすると、電磁デバイス１０２の電力変換効率を最大限とすることができる。同様に、長状コア１０４が長いほど、電磁デバイス１０２による入力電力から出力電力への変換の効率を高めることができる。
【００２３】
図１Ｂに示した実施例では、一次巻線１１６及び二次巻線１２０ａ〜１２０ｎは、それぞれ別個に内側コア部材１１０に巻回されており、最初に、一次巻線が巻回され、続いて各二次巻線１２０ａ〜１２０ｎが巻回されている。他の実施例では、一次巻線１１６及び二次巻線１２０ａ〜１２０ｎは、互いに隣接して内側コア部材１１０に巻回されてもよい。電磁デバイス１０２の重量や電磁デバイス１０２の発熱の増加を伴うことなく、一次巻線１１６と各二次巻線１２０ａ〜１２０ｎとの間の電力変換を効率よく行えるのであれば、任意の巻線構成を利用可能である。
【００２４】
また、長状コア１０４は、内側コア部材１１０の一方側に対向する第１外側コア部材１２６と、内側コア部材１１０の他方側に対向する第２外側コア部材１２８とを含む。また、第１側方コア部材１３０は、第１外側コア部材１２６の第１端部１３２を、内側コア部材１１０の第１端部１３４に繋ぎ、また、第１側方コア部材１３０は、内側コア部材１１０の第１端部１３４を、第２外側コア部材１２８の第１端部１３６に繋ぐ部材である。第２側方コア部材１３８は、第１外側コア部材１２６の第２端部１４０を、内側コア部材１１０の第２端部１４２に繋ぎ、また、第２側方コア部材１３８は、内側コア部材１１０の第２端部１４２を、第２外側コア部材１２８の第２端部１４４に繋ぐ部材である。
【００２５】
第１チャネル１０６の周りには、第１外側コア部材１２６と、第１側方コア部材１３０の第１部分１４８と、内側コア部材１１０と、第２側方コア部材１３８の第１部分１５０と、により、第１磁気回路１４６が構成される。第２チャネル１０８の周りには、内側コア部材１１０と、第１側方コア部材１３０の第２部分１５４と、第２外側コア部材１２８と、第２側方コア部材１３８の第２部分１５６と、により第２磁気回路１５２が構成される。上述したように、一次巻線１１６に流れる電流に誘起された磁束１２４が、第１磁気回路１４６及び第２磁気回路１５２に流れる。
【００２６】
一実施例では、長状コア１０４は、図１Ａに示したような単片構造体１５８を含んでもよく、これは、単一の材料片から形成されたものでも、複数の材料片から一体的に形成されたものでもよい。例えば、長状コア１０４は、フェライト材料から形成された１つの固体の長状コアであってもよく、あるいは、チャネル１０６及び１０８のそれぞれを規定する２つの固体の長状コアが接合されたものでもよい。
【００２７】
他の実施例では、長状コア１０４は、図１Ｂ及び図１Ｃに示すような、複数のプレート１６２を互いに重ねて、あるいは、並べて形成した積層構造体１６０を含んでもよい。各プレート１６２は、ケイ素鋼合金、ニッケル−鉄系合金、又は、本明細書に記載したような磁束の発生が可能なその他の金属材料からなる。例えば、長状コア１０４は、約２０重量％の鉄と、約８０重量％のニッケルと、を含むニッケル−鉄系合金で構成することができる。プレート１６２は、実質的に方形又は矩形であってもよく、あるいは、電磁デバイス１０２の用途や電磁デバイス１０２の配置環境に適合したその他の形状であってもよい。実質的に方形又は矩形のプレート１６２とは、例えば、特定の用途に適合する任意の種類の多角形と定義できるが、図１Ｂに示すように、角を丸めた形状であるとしてもよい。つまり、プレート１６２は、厳密な方形や矩形でなくてもよい。
【００２８】
各プレート１６２には、第１長状開口１１２及び第２長状開口１１４が形成されている。各プレート１６２における開口１１２及び１１４は、それぞれ整列した位置にあり、プレート１６２を互いに重ねる、あるいは並べると、長状コア１０４を通る第１チャネル１０６及び第２チャネル１０８が形成される。第１チャネル１０６及び第２チャネル１０８の延出方向は、プレート１６２の積層体における各プレートが規定する面に対して実質的に直交する。
【００２９】
図２は、図１Ａ〜図１Ｃの例示的な電磁デバイス１０２を示す概略図である。図２に示す例示的な電磁デバイス１０２は、マルチパルス電源変圧器２００として構成されている。図２に示す実施例によるマルチパルス電源変圧器２００は、１つの一次巻線２０２と、５つの二次巻線２０４ａ〜２０４ｅと、を含む。他の実施例による電磁デバイス１０２又はマルチパルス電源変圧器は、２つから５つの二次巻線を含みうる。さらに他の実施例では、追加の二次巻線を含んでもよい。図示された一次巻線２０２及び二次巻線２０４ａ〜２０４ｅは、内側コア部材２０６に関連付けられ、あるいは、これに巻回されており、追加の巻線のうちのいくつかは外側コア部材２０８及び２１０に巻回されていてもよい。上述したように、一次巻線２０２及び二次巻線２０４ａ〜２０４ｅのすべてが内側コア部材２０６に巻回されていることから、マルチパルス電源変圧器２００は、リニア磁気コア体２１２を有しているといえる。電源２１８は、一次巻線２０２に電気的接続に接続されており、二次巻線２０４ａ〜２０４ｅは、負荷２２２ａ〜２２２ｅにそれぞれ接続されている。各二次巻線２０４ａ〜２０４ｅは、それに接続された負荷２２２ａ〜２２２ｅと共に、それぞれ独立した電気回路を構成する。
【００３０】
図３Ａは、本開示の実施例による例示的な電磁デバイス３００を示す端面図であり、電気絶縁材料の層３０２が、一次巻線３０４と各二次巻線３０６ａ〜３０６ｎとの間、及び、二次巻線３０６ａ〜３０６ｎの各間に配されている。図３Ｂは、図３Ａの例示的な電磁装置を示す、線３Ｂ−３Ｂに沿う断面図である。図示のように、一次巻線３０４及び二次巻線３０６ａ〜３０６ｎは、電気的絶縁材の層３０２で互いに隔てられている。電磁デバイス３００は、図１Ａ〜図１Ｃに示す長状コア１０４に類似する長状コア３０８を含む。したがって、電磁デバイス３００は、長状コア３０８を通る第１チャネル３１０及び第２チャネル３１２を有する。第１チャネル３１０と第２チャネル３１２との間には、内側コア部材３１４が設けられ、あるいは、規定されている。電磁デバイス３００は、図１Ａ〜図１Ｃに示した電磁デバイス１０２として利用可能である。
【００３１】
図４は、本開示の実施例による三相電磁装置４０２又はデバイスを含む三相配電システム４００の例である。三相電磁装置４０２は、三相配電システム４００の位相それぞれに対応して、単相電磁デバイス４０４ａ〜４０４ｃを含む。各単相電磁デバイス４０４ａ〜４０４ｃは、図１Ａ〜図１Ｃを参照して説明した電磁デバイス１０２と同一あるいは類似のものとすることができる。各電磁デバイス４０４ａ〜４０４ｃは、上述したようにリニア磁気コアを含むマルチパルス変圧器として構成することができる。
【００３２】
電磁デバイス４０４ａ〜４０４ｃは、互いに直接に当接していてもよいし、図４の実施例に示すように、隣り合う電磁デバイス４０４ａ〜４０４ｃの各間にスペーサ４０５が設けられていてもよい。スペーサ４０５は、絶縁材料、非鉄材料、あるいは、三相電磁装置４０２の効率的な動作の妨げとならないその他の材料で形成することができる。加えて、図４に示した実施例では、電磁デバイス４０４ａ〜４０４ｃは、横並びに配置されているが、三相電磁装置４０２の用途や配置環境によっては、電磁デバイス４０４ａ〜４０４ｃを別の配置としてもよい。例えば、他の実施例では、電磁デバイス４０４ａ〜４０４ｃを垂直方向に重ねて配置してもよく、あるいは、さらに他の実施例では、１つの電磁デバイス４０４ａを、図４と同様に横並びに配置した別の２つの電磁デバイス４０４ｂ〜４０４ｃの上に重ねて配置してもよい。
【００３３】
三相電磁装置４０２の第１位相４１０ａである位相Ａを構成する電磁デバイス４０４ａは、第１位相長状コア１０４ａを含み、これは、第１チャネル１０６ａ、第２チャネル１０８ａ、及び、第１チャネル１０６ａと第２チャネル１０８ａとの間に設けられた第１位相内側コア部材１１０ａを含む。第１位相一次巻線４０６ａは、第１位相内側コア部材１１０ａに巻回されている。第１位相内側コア部材１１０ａには、複数の第１位相二次巻線４０８ａ〜４０８ｎも巻回されている。
【００３４】
三相電磁装置４０２の第２位相４１０ｂである位相Ｂを構成する電磁デバイス４０４ｂは、第２位相長状コア１０４ｂを含み、これは、第１チャネル１０６ｂ、第２チャネル１０８ｂ、及び、第１チャネル１０６ｂと第２チャネル１０８ｂとの間設けられた第２位相内側コア部材１１０ｂを含む。第２位相一次巻線４０６ｂは、第２位相内側コア部材１１０ｂに巻回されている。第２位相内側コア部材１１０ｂには、複数の第２位相二次巻線４０９ａ〜４０９ｎも巻回されている。
【００３５】
第３位相４１０ｃである位相Ｃを構成する電磁デバイス４０４ｃは、第３位相長状コア１０４ｃを含み、これは、第１チャネル１０６ｃ、第２チャネル１０８ｃ、及び、第１チャネル１０６ｃと第２チャネル１０８ｃとの間設けられた第３位相内側コア部材１１０ｃを含む。第３位相一次巻線４０６ｃは、第３位相内側コア部材１１０ｃに巻回されている。第３位相内側コア部材１１０ｃには、複数の第３位相二次巻線４１１ａ〜４１１ｎも巻回されている。
【００３６】
各電磁デバイス４０４ａ〜４０４ｃは、三相配電システム４００の位相Ａ ４１０ａ、位相Ｂ ４１０ｂ、及び位相Ｃ ４１０ｃを構成又は規定する。各電磁デバイス４０４ａ〜４０４ｃの一次巻線４０６ａ〜４０６ｃは、それぞれ三相電源４１４の位相Ａ ４１２ａ、位相Ｂ ４１２ｂ、位相Ｃ ４１２ｃのうちの１つの位相に電気的に接続されている。各電磁デバイス４０４ａ〜４０４ｃあるいは各位相の二次巻線４０８ａ〜４０８ｎ、４０９ａ〜４０９ｎ、及び４１１ａ〜４１１ｎは、それぞれ各位相４１０ａ〜４１０ｎにおける異なる負荷４１６ａ〜４１６ｎに電気的に接続されている。各電磁デバイス４０４ａ〜４０４ｃは、図１Ａ〜図１Ｃを参照して説明した電磁デバイス１０２と同様に動作して、三相電源４１４から供給される三相電力を、各位相４１０ａ〜４１０ｃにおける各負荷４１６ａ〜４１６ｎへの供給に適切な電力に変換する。長状コア１０４ａ〜１０４ｃのいずれにおいても、関連する一次巻線４０６ａ〜４０６ｃに電流が流れると、磁束が誘起される。
【００３７】
図５は、本開示の他の実施例による例示的な三相電磁デバイス５００を示す端面図である。三相電磁デバイス５００は、図４に示したシステム４００に類似する三相配電システムにおいて利用可能である。また、三相電磁デバイス５００は、図４に示した三相電磁装置４０２又はデバイスの代わりに利用可能である。三相電磁デバイス５００は、図１Ａ〜図１Ｃを参照して説明した電磁デバイス１０２に類似しており、長状コア１０４に類似の長状コア５０２を含む。ただし、三相電磁デバイス５００には、長状コア５０２を通る第１チャネル５０３及び第２チャネル５０４に加えて、長状コア５０２を通る第３チャネル５０５及び第４チャネル５０６が設けられている。第１チャネル５０３及び第２チャネル５０４は、図１Ａ〜図１Ｃに示した電磁デバイス１０２の内側コア部材１１０に類似の内側コア部材５０７を規定する。一次巻線５０８ａ及び複数の二次巻線５１０ａ〜５１０ｎは、内側コア部材５０７に巻回されており、三相電磁デバイス５００の第１位相５１１ａを構成する。
【００３８】
第２チャネル５０４と第３チャネル５０５との間には、第２内側コア部材５１２が設けられ、あるいは、規定されており、第３チャネル５０５と第４チャネル５０６との間には、第３内側コア部材５１４が設けられ、あるいは、規定されている。第２内側コア部材５１２には、第２位相一次巻線５０８ｂ及び複数の第２位相二次巻線５１６ａ〜５１６ｎが巻回されている。第２内側コア部材５１２に巻回された第２位相一次巻線５０８ｂ及び複数の第２位相二次巻線５１６ａ〜５１６ｎは、三相電磁デバイス５００の第２位相５１１ｂを構成する。第２位相一次巻線５０８ｂは、図４の三相電源４１４などの三相電源の第２位相である位相Ｂに電気的に接続されている。各第２位相二次巻線５１６ａ〜５１６ｎは、それぞれ図４の第２位相負荷４１６ａ〜４１６ｎなどの負荷に電気的に接続されている。
【００３９】
第３内側コア部材５１４には、第３位相一次巻線５０８ｃ及び複数の第３位相二次巻線５１８ａ〜５１８ｎが巻回されている。第３内側コア部材５１４に巻回された第３位相一次巻線５０８ｃ及び複数の第３位相二次巻線５１８ａ〜５１８ｎは、三相電磁デバイス５００の第３位相５１１ｃを構成する。第３位相一次巻線５０８ｃは、図４の三相電源４１４などの三相電源の第３位相である位相Ｃに電気的に接続されている。第３位相二次巻線５１８ａ〜５１８ｎは、それぞれ図４の第３位相負荷４１６ａ〜４１６ｎなどの負荷に電気的に接続されている。
【００４０】
図６は、本開示の一実施例による、電気信号を多重出力パルスに変換する方法６００の例のフロー図である。ブロック６０２では、磁束の発生が可能な長状コア又は長状磁気コアを少なくとも１つ用意する。この長状コアには、長状コアを通る第１チャネル及び第２チャネルが形成されている。第１チャネルと第２チャネルとの間には、内側コア部材が設けられて、あるいは規定されている。第１チャネル及び第２チャネルのそれぞれは、長状コアの最大長さに相当する深さを有する。
【００４１】
また、長状コアは、内側コア部材の一方側に対向する第１外側コア部材と、内側コア部材の他方側に対向する第２外側コア部材とを含む。また、第１側方コア部材は、第１外側コア部材の第１端部を内側コア部材の第１端部に繋ぎ、内側コア部材の第１端部を第２外側コア部材の第１端部に繋ぐ部材である。
【００４２】
第２側方コア部材は、第１外側コア部材の第２端部を内側コア部材の第２端部に繋ぎ、内側コア部材の第２端部を第２外側コア部材の第２端部に繋ぐ部材である。第１チャネルの周りには、第１外側コア部材と、第１側方コア部材の第１部分と、内側コア部材と、第２側方コア部材の第１部分と、により第１磁気回路が構成される。第２チャネルの周りには、内側コア部材と、第１側方コア部材の第２部分と、第２外側コア部材と、第２側方コア部材の第２部分と、により第２磁気回路が構成される。一次巻線を流れる電流に誘起された磁束が、第１磁気回路及び第２磁気回路に流れる。
【００４３】
ブロック６０４では、内側コア部材に第１導電体が所定巻き数だけ巻回されて、一次巻線が構成される。ブロック６０６では、内側コア部材に複数の第２導電体が所定回数だけ巻回されて、複数の二次巻線が構成される。一次巻線に電流が流れると、一次巻線の周りに磁界が発生し、この磁界が長状コアに吸収されると、長状コアに磁束が発生する。長状コアを流れる磁束は、各二次巻線を流れる電流を誘起する。
【００４４】
ブロック６０８では、一次巻線を電源に接続し、各二次巻線を負荷に接続する。ブロック６１０では、一次巻線に電流信号を供給して、一次巻線の周りに磁界を発生させる。この磁界が長状コアに吸収されると、長状コアに電磁束が誘起される。
【００４５】
ブロック６１２では、長状コアを流れる磁束により、各二次巻線を流れる二次電流信号が誘起される。ブロック６１４では、二次巻線に関連づけられた負荷のそれぞれに、二次電流信号が供給される。
【００４６】
本開示は、さらに、以下の付記による実施例も包含する。
【００４７】
付記１
磁束（１２４）の発生が可能な長状コア（１０４）と、前記長状コアを通る第１チャネル（１０６）と、前記長状コアを通る第２チャネル（１０８）と、前記第１チャネルと前記第２チャネルとの間に設けられた内側コア部材（１１０）と、前記内側コア部材に巻回された一次巻線（１１６）と、前記内側コア部材に巻回された複数の二次巻線（１２０ａ〜１２０ｎ）と、を含み、前記一次巻線に電流が流れると、前記一次巻線の周りに磁界が発生し、当該磁界が前記長状コアに吸収されると、前記長状コアに磁束が発生し、前記長状コアを流れる当該磁束により、前記複数の二次巻線の各々を流れる電流が誘起される、電磁デバイス（１０２）。
【００４８】
付記２
前記長状コアは、さらに、前記内側コア部材の一方側に対向する第１外側コア部材（１２６）と、前記内側コア部材の他方側に対向する第２外側コア部材（１２８）と、前記第１外側コア部材の第１端部（１３２）を前記内側コア部材の第１端部（１３４）に繋ぐと共に、前記内側コア部材の前記第１端部を前記第２外側コア部材の第１端部（１３６）に繋ぐ第１側方コア部材（１３０）と、前記第１外側コア部材の第２端部（１４０）を前記内側コア部材第２端部（１４２）に繋ぐと共に、前記内側コア部材の前記第２端部を前記第２外側コア部材の第２端部（１４４）に繋ぐ第２側方コア部材（１３８）と、を含み、前記第１外側コア部材と、前記第１側方コア部材の第１部分（１４８）と、前記内側コア部材と、前記第２側方コア部材の第１部分（１５０）と、により前記第１チャネルの周りに第１磁気回路（１４６）が構成され、前記内側コア部材と、前記第１側方コア部材の第２部分（１５４）と、前記第２外側コア部材と、前記第２側方コア部材の第２部分（１５６）と、により、前記第２チャネルの周りに第２磁気回路（１５２）が構成され、前記磁束は、前記一次巻線を流れる前記電流に対応して、前記第１磁気回路及び前記第２磁気回路に流れる、付記１に記載の電磁デバイス。
【００４９】
付記３
前記第１チャネル及び前記第２チャネルの各々は、前記長状コアの最大長さ（Ｌ）に相当する深さ（Ｄ）を有する、付記１に記載の電磁デバイス。
【００５０】
付記４
前記第１チャネル及び前記第２チャネルの各々は、前記長状コアの前記最大長さ方向に交差する長状開口を形成する高さ及び幅（Ｗ）を有する、付記３に記載の電磁デバイス。
【００５１】
付記５
前記一次巻線及び前記複数の二次巻線は、一巻ごとに、前記内側コア部材の周りで互いに隣接している、付記１に記載の電磁デバイス。
【００５２】
付記６
前記一次巻線及び前記複数の二次巻線の各々は、前記内側コア部材に別個に巻回されている、付記１に記載の電磁デバイス。
【００５３】
付記７
前記一次巻線及び前記複数の二次巻線の各々は、前記長状コア内に位置する部分の線長が最大になるように前記内側コア部材に巻回されている、付記１に記載の電磁デバイス。
【００５４】
付記８
前記一次巻線と前記複数の二次巻線の各々との間、及び、前記複数の二次巻線の各間に、電気的絶縁材の層（３０２）をさらに含む、付記１に記載の電磁デバイス。
【００５５】
付記９
前記長状コアは、単片構造体（１５８）、及び、互いに積み重ねられた複数のプレート（１６２）からなる積層構造体（１６０）、のうちのいずれかを含む、付記１に記載の電磁デバイス。
【００５６】
付記１０
前記磁束は、前記一次巻線を流れる交流により誘起され、当該磁束は、前記交流の正の半サイクルの間は、前記一次巻線及び複数の二次巻線の向きを横切る第１方向に流れ、前記交流の負の半サイクルの間は、前記第１方向とは逆の第２方向に流れる、付記１に記載の電磁デバイス。
【００５７】
付記１１
前記複数の二次巻線は、２つから５つの間の二次巻線から成る、付記１に記載の電磁デバイス。
【００５８】
付記１２
前記内側コア部材に巻回された前記一次巻線と前記複数の二次巻線とは、三相電磁デバイス（５００）の第１位相（４１０ａ）を構成し、前記三相電磁デバイスは、前記長状コアを通る第３チャネル（５０４）と、前記長状コアを通る第４チャネル（５０６）と、前記第２チャネルと前記第３チャネルとの間に設けられた第２内側コア部材（５１２）と、前記第３チャネルと前記第４チャネルとの間に設けられた第３内側コア部材（５１４）と、前記第２内側コア部材に巻回された第２位相一次巻線（５０８ｂ）と、前記第３内側コア部材に巻回された第３位相一次巻線（５０８ｃ）と、前記第２内側コア部材に巻回された複数の第２位相二次巻線（５１６ａ〜５１６ｂ）と、前記第３内側コア部材に巻回された複数の第３位相二次巻線（５１８ａ〜５１８ｂ）と、を含み、前記第２内側コア部材に巻回された前記第２位相一次巻線と前記複数の第２位相二次巻線とは、前記三相電磁デバイスの第２位相を構成し、前記第３内側コア部材に巻回された前記第３位相一次巻線と前記複数の第３位相二次巻線とは、前記三相電磁デバイスの第３位相を構成する、付記１に記載の電磁デバイス。
【００５９】
付記１３
前記内側コア部材に巻回された前記一次巻線と前記複数の二次巻線とは、三相電磁デバイスの第１位相（５１１ａ）を構成し、前記三相電磁デバイスは、第２位相（４１０ｂ）と第３位相（４１０ｃ）とを含み、当該第２位相は、磁束の発生が可能な第２位相長状コア（１０４ｂ）と、前記第２位相長状コアを通る第１チャネル（１０６ｂ）と、前記第２位相長状コアを通る第２チャネル（１０８ｂ）と、前記第１チャネルと前記第２チャネルとの間に設けられた第２位相内側コア部材（１１０ｂ）と、前記第２位相内側コア部材に巻回された第２位相一次巻線（４０６ｂ）と、前記第２位相内側コア部材に巻回された複数の第２位相二次巻線（４０９ａ〜４０９ｎ）と、を含み、前記第２位相内側コア部材に巻回された前記第２位相一次巻線と前記複数の第２位相二次巻線とは、前記三相電磁デバイスの第２位相（５１１ｂ）を構成し、前記第３位相は、磁束の発生が可能な第３位相長状コア（１０４ｃ）と、前記第３位相長状コアを通る第１チャネル（１０６ｃ）と、前記第３位相長状コアを通る第２チャネル（１０８ｃ）と、前記第１チャネルと前記第２チャネルとの間に設けられた第３位相内側コア部材（１１０ｃ）と、前記第３位相内側コア部材に巻回された第３位相一次巻線（４０６ｃ）と、前記第３位相内側コア部材に巻回された複数の第３位相二次巻線（４１１ａ〜４１１ｎ）と、を含み、前記第３位相内側コア部材に巻回された前記第３位相一次巻線と前記複数の第３位相二次巻線とは、前記三相電磁デバイスの第３位相（５１１ｃ）を構成する、付記１に記載の電磁デバイス。
【００６０】
付記１４
第１チャネル（１０６ａ）、第２チャネル（１０８ａ）、及び、前記第１チャネルと前記第２チャネルとの間に設けられた第１位相内側コア部材（１１０ａ）を含む第１位相長状コア（１０４ａ）と、前記第１位相内側コア部材に巻回された第１位相一次巻線（４０６ａ）と、前記第１位相内側コア部材に巻回された複数の第１位相二次巻線（４０８ａ〜４０８ｎ）と、第１チャネル（１０６ｂ）、第２チャネル（１０８ｂ）、及び、前記第１チャネルと前記第２チャネルとの間に設けられた第２位相内側コア部材（１１０ｂ）を含む第２位相長状コア（１０４ｂ）と、前記第２位相内側コア部材に巻回された第２位相一次巻線（４０６ｂ）と、前記第２位相内側コア部材に巻回された複数の第２位相二次巻線（４０９ａ〜４０９ｎ）と、第１チャネル（１０６ｃ）、第２チャネル（１０８ｃ）、及び、前記第１チャネルと前記第２チャネルとの間に設けられた第３位相内側コア部材（１１０ｃ）を含む第３位相長状コア（１０４ｃ）と、前記第３位相内側コア部材に巻回された第３位相一次巻線（４０６ｃ）と、前記第３位相内側コア部材に巻回された複数の第３位相二次巻線（４１１ａ〜４１１ｎ）と、を含む、電磁デバイス（４０２）。
【００６１】
付記１５
各長状コアは、前記内側コア部材の一方側に対向する第１外側コア部材（１２６）と、前記内側コア部材の他方側に対向する第２外側コア部材（１２８）と、前記第１外側コア部材の第１端縁（１３２）を前記内側コア部材の第１端縁（１３４）に繋ぎ、前記内側コア部材の前記第１端部を、前記第２外側コア部材の第１端部（１３６）につなぐ第１側方コア部材（１３０）と、前記第１外側コア部材の第２端部（１４０）を前記内側コア部材の第２端部（１４２）に繋ぐと共に、前記内側コア部材の前記第２端部を前記第２外側コア部材の第２端部（１４４）に繋ぐ第２側方コア部材（１３８）と、を含み、前記第１外側コア部材と、前記第１側方コア部材の第１部分（１４８）と、前記内側コア部材と、前記第２側方コア部材の第１部分（１５０）と、により前記第１チャネルの周りに第１磁気回路（１４６）が構成され、前記内側コア部材と、前記第１側方コア部材の第２部分（１５４）と、前記第２外側コア部材と、前記第２側方コア部材の第２部分（１５６）と、により前記第２チャネルの周りに第２磁気回路（１５２）が構成され、特定位相長状コアの一次巻線を流れる電流に対応して、当該特定位相長状コアの第１磁気回路及び第２磁気回路に磁束が流れる、付記１４に記載の電磁デバイス。
【００６２】
付記１６
各長状コアは、単片構造体（１５８）、及び、互いに積み重ねられた複数のプレート（１６２）からなる積層構造体（１６０）、のうちのいずれかを含む、付記１４に記載の電磁デバイス。
【００６３】
付記１７
前記長状コアのうちのいずれかに関連づけられた一次巻線を流れる交流に対応して、当該長状コアに磁束が誘起され、当該磁束は、前記交流の正の半サイクルの間は、前記関連づけられた一次巻線及び複数の二次巻線の向きを横切る第１方向に流れ、前記交流の負の半サイクルの間は、前記第１方向と逆の第２方向に流れる、付記１４に記載の電磁デバイス。
【００６４】
付記１８
電力を変換する方法（６００）であって、磁束の発生が可能な長状コアを用意し（６０２）、この際に、前記長状コアを、前記長状コアを通る第１チャネル（１０６）、前記長状コアを通る第２チャネル（１０８）、及び、前記第１チャネルと前記第２チャネルとの間に設けられた内側コア部材（１１０）を含むものとし、前記内側コア部材に一次巻線（１１６）を巻回し（６０４）、前記内側コア部材に複数の二次巻線（１２０ａ〜１２０ｎ）を巻回し（６０６）、前記一次巻線に電流を流して、前記一次巻線の周りに磁界を発生させ、当該磁界を前記長状コアに吸収させて、前記長状コアに磁束を発生させ、前記長状コアを流れる当該磁束により、前記複数の二次巻線の各々を流れる電流を誘起する、方法。
【００６５】
付記１９
前記第１チャネル及び前記２チャネルの各々は、前記長状コアの最大長さ（Ｌ）に相当する深さ（Ｄ）を有する、付記１８に記載の方法。
【００６６】
付記２０
前記長状コアを用意するに際し、前記内側コア部材の一方側に対向する第１外側コア部材（１２６）を用意し、前記内側コア部材の他方側に対向する第２外側コア部材（１２８）を用意し、前記第１外側コア部材の第１端部（１３２）を前記内側コア部材の第１端部（１３４）に繋ぐと共に、前記内側コア部材の前記第１端部を、前記第２外側コア部材の第１端部（１３６）に繋ぐ第１側方コア部材（１３０）を用意し、前記第１外側コア部材の第２端部（１４０）を前記内側コア部材の第２端部（１４２）に繋ぐと共に、前記内側コア部材の前記第２端部を前記第２外側コア部材の第２端部（１４４）に繋ぐ第２側方コア部材（１３８）を用意するようにし、前記第１外側コア部材と、前記第１側方コア部材の第１部分（１４８）と、前記内側コア部材と、前記第２側方コア部材の第１部分（１５０）と、により前記第１チャネルの周りに第１磁気回路（１４６）が構成され、前記内側コア部材と、前記第１側方コア部材の第２部分（１５４）と、前記第２外側コア部材と、前記第２側方コア部材の第２部分（１５６）と、により前記第２チャネルの周りに第２磁気回路（１５２）が構成され、前記磁束は、前記一次巻線を流れる電流に対応して、前記第１磁気回路及び前記第２磁気回路に流れる、付記１８に記載の方法。
【００６７】
付記２１
前記一次巻線を電源（１１８）に接続し、前記二次巻線の各々を負荷（１２２ａ〜１２２ｎ）に接続し（６０８）、前記一次巻線に電流信号を供給し（６１０）、これにより前記一次巻線の周りに磁界を発生させ、当該磁界を前記長状コアに吸収させて、前記長状コアに電磁束を発生させ、前記長状コアを流れる当該磁束により、前記二次巻線の各々を流れる二次電流信号を誘起し（６１２）、前記二次電流信号を、各二次巻線に関連づけられた負荷にそれぞれ供給する（６１４）、付記１８に記載の方法。
【００６８】
添付図面におけるフロー図及びブロック図は、本発明の様々な実施例によるシステム、方法、及びコンピュータープログラム製品の可能な態様の、構造、機能、及び動作を示すものである。これに関して、フロー図やブロック図における各ブロックは、特定の論理機能を実現するための１つ又は複数の実行可能な命令を含むモジュール、セグメント、又は命令の一部を表す場合がある。いくつかの代替の実施態様では、ブロックで示した機能が、図面に記載した順序とは異なる順序で実行される場合もある。例えば、連続するものとして示されている２つのブロックは、実際には、実質的に同時に実行されてもよいし、関連する機能によっては、これらのブロックは逆の順序で実行されてもよい。また、ブロック図やフロー図の各ブロック、また、ブロック図やフロー図のブロックの組み合わせは、特定の機能や処理を実行する特定用途向けハードウェアに基づくシステムにより実現してもよいし、特定用途向けハードウェアとコンピュータ命令との組み合わせにより実現してもよい。
【００６９】
本明細書における用語は、特定の実施例を説明する目的でのみ使用されており、本発明の実施例を限定することを意図するものではない。本明細書における単数形の記載は、文脈上で明らかに矛盾しない限り、複数形も包含することを意図している。また、「含み」や「含む」という用語が本明細書で用いられている場合、これらは、記載した特徴、部分、工程、動作、要素、及び／又はコンポーネントが存在することを意味するが、他の特徴、部分、ステップ、動作、要素、コンポーネント、及び／又はそれらのグループが１つ又は複数存在することや、追加されることを排除するものではない。
【００７０】
添付の特許請求の範囲に「手段又はステップ＋機能」として記載した要素に対応する構成、材料、動作、及び均等物には、特許請求の範囲に具体的に記載された他の要素と組み合わせて、当該機能を発揮できる他の任意の構成、材料、又は動作を含むものである。本発明の記載は、例示及び説明のために提示したものであり、本発明について、すべての例を網羅することや、開示した実施例に限定することを意図するものではない。本発明の実施例の範囲及び精神から逸脱することなく、多くの変更又は変形が当業者には明らかであろう。記載した実施例は、本発明の実施例の原理及び実際の用途を最も的確に説明するために選択且つ記載したものであり、また、当業者が、本発明の実施例を理解することによって、想定した特定の用途に適した種々の改変を加えた様々な実施例を想定できるようも選択且つ記載したものである。
【００７１】
本明細書には特定の実施例を図示及び説明したが、当業者であればわかるように、説明した特定の実施例を、同一の目的を達成するよう設計された任意の構成に置き換えることが可能である。また、本発明の実施例は、他の環境下の他の用途も有する。本出願は、本発明のいかなる改変又は変形例をもその範囲に包含することを意図している。添付の特許請求の範囲は、本発明の実施例の範囲を、本明細書に記載した特定の実施例に限定することを意図したものではない。
【図１Ａ】
2017143250.tif 000003
【図１Ｂ】
2017143250.tif 000004
【図１Ｃ】
2017143250.tif 000005
【図２】
2017143250.tif 000006
【図３Ａ】
2017143250.tif 000007
【図３Ｂ】
2017143250.tif 000008
【図４】
2017143250.tif 000009
【図５】
2017143250.tif 000010
【図６】
2017143250.tif 000011
【外国語明細書】
2017143250000001.pdf
2017143250000002.pdf
2017143250000003.pdf
2017143250000004.pdf